(57)【要約】【課題】  この発明は、ＨＤＤに記録されたストリームデータのビットレートを変換することができるデジタル放送対応受信装置を提供することを目的とする。【解決手段】  ＨＤＤに記録されたストリームデータのうち、再圧縮処理の対象となるストリームデータをユーザに選択させる第１手段、再圧縮処理の対象となるストリームデータの圧縮モードをユーザに設定させるための第２手段、ＨＤＤから第１手段によって選択された再圧縮対象のストリームデータを読み出し、読み出したストリームデータに対してＡＶデコード処理およびＮＴＳＣエンコード処理を行った後、得られたＡＶデータに対して第２手段によって設定された圧縮モードでＭＰＥＧエンコード処理を行ない、得られたストリームデータをＨＤＤに記録させる第３手段、ならびに第３手段によってＨＤＤからの読み出しが終了した再圧縮対象のストリームデータをＨＤＤから削除する第４手段を備えている。【選択図】  図１
2006245715.tif 000002
【特許請求の範囲】
【請求項１】
ＨＤＤが内蔵されたデジタル放送対応受信装置において、
ＨＤＤに記録されたストリームデータのうち、再圧縮処理の対象となるストリームデータをユーザに選択させる第１手段、
再圧縮処理の対象となるストリームデータの圧縮モードをユーザに設定させるための第２手段、
ＨＤＤから第１手段によって選択された再圧縮対象のストリームデータを読み出し、読み出したストリームデータに対してＡＶデコード処理およびＮＴＳＣエンコード処理を行った後、得られたＡＶデータに対して第２手段によって設定された圧縮モードでＭＰＥＧエンコード処理を行ない、得られたストリームデータをＨＤＤに記録させる第３手段、ならびに
第３手段によってＨＤＤからの読み出しが終了した再圧縮対象のストリームデータをＨＤＤから削除する第４手段、
を備えていることを特徴とするＨＤＤが内蔵されたデジタル放送対応受信装置。
【請求項２】
第４手段は、第３手段による再圧縮処理が完了した後に、第３手段によってＨＤＤからの読み出しが終了した再圧縮対象のストリームデータをＨＤＤから削除するものであることを特徴とする請求項１に記載のデジタル放送対応受信装置。
【請求項３】
第４手段は、所定時間毎に、第３手段によってＨＤＤからの読み出しが終了した再圧縮対象のストリームデータをＨＤＤから削除するものであることを特徴とする請求項１に記載のデジタル放送対応受信装置。
【請求項４】
デジタル放送対応受信装置がスタンバイ状態であるときに、第３手段による再圧縮処理を自動的に実行させる第５手段を備えていることを特徴とする請求項１、２および３のいずれかに記載のデジタル放送対応受信装置。
【発明の詳細な説明】
【技術分野】
【０００１】
この発明は、ＨＤＤが内蔵されたデジタル放送対応受信装置に関する。
【背景技術】
【０００２】
一般的なＨＤＤを利用した記録装置においては、その記憶領域が限られていることから、いくつかの番組の記録を行ってＨＤＤの残り領域が少なくなった場合には、ＨＤＤ上のコンテンツをＤＶＤなどのリムーバブルメディアに保存した後に、ＨＤＤ上のコンテンツの削除などを行ない、空領域を確保するのが一般的である。しかしながら、このような空き容量の確保を行うためには、ＨＤＤ以外のリムーバブルメディアにも記録装置が対応している必要があり、コストアップにつながる
【０００３】
また、デジタル記録装置には、高画質／標準画質／低画質（長時間モード）など、何種類かの記録モード（ビットレート）を持っていることが一般的であるが、搭載されているＨＤＤの容量が少ない場合や多くのコンテンツをＨＤＤに蓄積させたい場合、容量を多く消費する高画質モードを選択しにくい。
【発明の開示】
【発明が解決しようとする課題】
【０００４】
この発明は、ＨＤＤに記録されたストリームデータのビットレートを変換することができ、それにより、ＨＤＤの空き容量を増加させることが可能となるデジタル放送対応受信装置を提供することを目的とする。
【課題を解決するための手段】
【０００５】
請求項１に記載の発明は、ＨＤＤが内蔵されたデジタル放送対応受信装置において、ＨＤＤに記録されたストリームデータのうち、再圧縮処理の対象となるストリームデータをユーザに選択させる第１手段、再圧縮処理の対象となるストリームデータの圧縮モードをユーザに設定させるための第２手段、ＨＤＤから第１手段によって選択された再圧縮対象のストリームデータを読み出し、読み出したストリームデータに対してＡＶデコード処理およびＮＴＳＣエンコード処理を行った後、得られたＡＶデータに対して第２手段によって設定された圧縮モードでＭＰＥＧエンコード処理を行ない、得られたストリームデータをＨＤＤに記録させる第３手段、ならびに第３手段によってＨＤＤからの読み出しが終了した再圧縮対象のストリームデータをＨＤＤから削除する第４手段を備えていることを特徴とする。
【０００６】
請求項２に記載の発明は、請求項１に記載の発明において、第４手段は、第３手段による再圧縮処理が完了した後に、第３手段によってＨＤＤからの読み出しが終了した再圧縮対象のストリームデータをＨＤＤから削除するものであることを特徴とする。
【０００７】
請求項３に記載の発明は、請求項１に記載の発明において、第４手段は、所定時間毎に、第３手段によってＨＤＤからの読み出しが終了した再圧縮対象のストリームデータをＨＤＤから削除するものであることを特徴とする。
【０００８】
請求項４に記載の発明は、デジタル放送対応受信装置がスタンバイ状態であるときに、第３手段による再圧縮処理を自動的に実行させる第５手段を備えていることを特徴とする。
【発明の効果】
【０００９】
この発明によれば、ＨＤＤに記録されたストリームデータのビットレートを変換することができ、それにより、ＨＤＤの空き容量を増加させることができるようになる。
【発明を実施するための最良の形態】
【００１０】
以下、図面を参照して、この発明の実施例について説明する。
【実施例１】
【００１１】
図１は、ＨＤＤが内蔵されたデジタル放送対応受信装置の構成を示している。
【００１２】
このデジタル放送対応受信装置は、デジタルテレビ放送およびアナログテレビ放送を受信し、受信したデジタルテレビ放送番組の映像・音声を出力したり、ＨＤＤに記録したりする機能を備えている。また、ＨＤＤに記録した映像・音声を再生する機能を備えている。さらに、ＨＤＤに記録したファイルを一旦読み出して、再圧縮した後に、ＨＤＤに記録するといったビットレート変換機能をも備えている。
【００１３】
デジタル放送対応受信装置は、デジタルチューナ１、アナログチューナ３、ＡＶ信号化処理部４、入力スイッチャー５、ＭＰＥＧエンコーダ６、デジタル信号解析・制御部２、ＨＤＤコントローラ７、ＨＤＤ８、ＡＶデコーダ９、ＯＳＤ１０、モニタ１１、ＮＴＳＣエンコーダ１２、出力スイッチャー１３、外部出力端子１４およびＣＰＵ１０を備えている。
【００１４】
デジタルチューナ１、アナログチューナ３、入力スイッチャー５、ＭＰＥＧエンコーダ６、デジタル信号解析・制御部２、ＨＤＤコントローラ７および出力スイッチャー１３は、ＣＰＵ１０によって制御される。ＣＰＵ１０は、図示しないＲＯＭ、ＲＡＭ、不揮発性メモリを備えている。また、ＣＰＵ１０には、図示しないリモコンからのリモコン信号が図示しないリモコン信号受光器を介して入力される。
【００１５】
〔１〕デジタル放送の記録処理について説明
デジタル放送においては、複数のサービス（アナログ放送のチャンネルに相当する）が１つのトランスポートストリーム（ＴＳ）によって伝送されており、このＴＳ単位でチューナの制御に必要な周波数情報などが一意に決まっている。ＴＳと周波数情報等との対応関係は、ネットワークインフォメーションテーブル（ＮＩＴ）と呼ばれるテーブルに記述されている。ネットワークインフォメーションテーブル（ＮＩＴ）は、ネットワーク単位で伝送されている。
【００１６】
デジタルチューナ１は、所望のサービスに対して対応する周波数／トランスポートストリームＩＤ（ＴＳ＿ＩＤ）の制御を行うことにより、所望のサービスを含むＴＳをデジタル信号解析・制御部２に出力する。
【００１７】
デジタル信号解析・制御部２は、入力されたＴＳから所望のサービスに対応する映像／音声などのエレメンタリーストリーム（ＥＳ）を分離する。ＥＳには、個別のパケットＩＤ（ＥＳ＿ＰＩＤ）が付加されており、所望のサービスとそれに対応するＥＳ＿ＰＩＤとの対応関係は、プログラムマッサピングテーブル（ＰＭＴ）と呼ばれるテーブルによって伝送されている。ＰＭＴはＴＳ内に伝送されているサービス分伝送されているが、そのＰＩＤはプログラムアソシエーションテーブル（ＰＡＴ）と呼ばれるテーブルによって示されている。ＰＡＴのＰＩＤは固定で決まっており、またＴＳには１つのＰＡＴのみが伝送される。
【００１８】
したがって、所望のサービスに対応するＥＳを分離するには、まず、ＰＡＴを取得する。ＰＡＴの取得完了後に、ＰＡＴを解析することにより、所望のサービスに対応するＰＭＴ＿ＰＩＤを確定し、所望のサービスに対応するＰＭＴを取得することができる。ＰＭＴの取得完了後に、ＰＭＴを解析することにより、所望のサービスに対応するＥＳのＰＩＤが確定し、所望のサービスに対応するＥＳを分離することができる。分離したＥＳがＡＶデコーダ９に送られて、ＡＶデコード処理が行われることにより、所望のサービスに対応する映像／音声信号が得られる。
【００１９】
ＡＶデコーダ９によって得られた映像信号は、ＯＳＤ１０からのオンスクリーン画像信号と合成された後、モニタ１１に送られて表示される。ＡＶデコーダ９によって得られた音声信号は、図示しないスピーカから出力される。
【００２０】
また、デジタル信号解析・制御部２によって取得されたＥＳ等は、ＨＤＤコントローラ７を介してＨＤＤ８に格納される。ところで、ＨＤＤ８に選局されているサービスを録画する場合、デジタルチューナ１から得られたＴＳをそのまま記録するのは、選局されたサービス以外のサービスに対するデータを含んでいることから、無駄が多い。また、デジタル放送では、通常ＥＳはスクランブルされて伝送されており、ＰＭＴによってＰＩＤが確定するＥＣＭ(Entitlement Control Message) と呼ばれる制御情報とこれに対応するＩＣカードを用いてデスクランブル処理を行うことで初めてＡＶデコーダによるデコード処理が可能となるが、この制御情報も含めてスクランブルを解除しないままＴＳとして記録することはこの暗号化方式の保護の観点からも好ましくない。
【００２１】
そこで、デジタル信号解析・制御部２は、選局されたサービスに対応するＰＡＴ、ＰＭＴ、デスクランブル処理が行われているＥＳとＰＣＲで構成されるパーシャルトランスポートストリーム（ＰＴＳ）と呼ばれる部分ＴＳを出力するのが一般的である。ＨＤＤコントローラ７は、このＰＴＳをＨＤＤ８に書き込む。なお、ＰＴＳに含まれるＰＡＴは、取得されたＰＡＴから選択サービス以外の記述を削除したＰＡＴである。また、ＰＴＳに含まれるＰＭＴは、取得されたＰＭＴから選択されたＥＳ／ＰＣＲ以外の記述を削除したＰＭＴである。
【００２２】
図２は、ＨＤＤ上のデータ構成を示している。
【００２３】
デジタル信号解析・制御部２から出力されたＰＴＳをＨＤＤ８にストリームデータとして保存する場合には、映像／音声などを含むＰＴＳ（ストリームデータ）と、そのＰＴＳに対応する付帯情報とをそれぞれ独立して管理できるように、ＰＴＳと付帯情報とをＨＤＤ８に格納する。
【００２４】
付帯情報には、有効フラグ、記録日時、記録ファイル名、記録時間、記録データ種別、再生済フラグ、ストリームデータへのポインタおよび再生開始ポインタがある。これらの各情報の意味は次の通りである。
【００２５】
記録日時：ファイル生成開始のタイムスタンプであり、ユーザによって書き換え不可のデータである。
【００２６】
記録ファイル名：ユーザがＨＤＤに記録されている内容を認識するためのタイトル情報である。ファイル一覧を表示した場合、記録ファイル名により、ＨＤＤ内の全データの確認や、再生するファイルの選択が可能となる。番組予約など、記録が番組単位である場合には、番組名を自動的に登録するようにしてもよい。記録ファイル名はユーザによって書き換え可能なデータである。
【００２７】
記録時間：当該ファイル（ＰＴＳ）の記録時間の長さを示す情報であり、記録終了後に書き込まれる。
【００２８】
記録データ種別：当該ファイルのデータがデジタル放送から生成されたデータであるか、アナログ放送（またはアナログ入力）から生成されたデータかを識別するための情報である。デジタル放送から生成されたデータである場合には、記録モード（ＨＤ／ＳＤ）も記録される。後述するように、アナログ放送（またはアナログ入力）から記録データを生成する際には、ＭＰＥＧエンコーダに画質とファイルサイズの制御情報が与えられるが、その際の制御情報も記録される。ここでは、説明の簡略化のため、画質の種類としては、高画質、標準画質および低画質の３種類があるものとする。
【００２９】
デジタルおよびアナログを含めた画質は、高いものの順に、デジタルＨＤ、デジタルＳＤ、アナログ高画質、アナログ標準画質、アナログ低画質となっているものとする。
【００３０】
再生済フラグ：当該ファイルの再生が既に行われたことを示すフラグである。再生が既に行われていないファイルに対しては、後述するビットレート自動変換処理の対象とならない。
【００３１】
ストリームデータへのポインタ：ファイル一覧から当該ファイルが再生のために選択された場合、このポインタにしたがってデコードを開始するストリームを選択し、デコードを開始する。また、ファイル一覧から当該ファイルの削除が指定された場合、このポインタに基づいて、対応するストリームを削除した後、付帯情報も削除する。
【００３２】
再生開始ポインタ：当該ファイルが再生中に、ユーザ操作による再生中断や、電源オフ等によって、再生が中断された場合に、次の再生開始時に中断された箇所から再生を開始させるためのポインタである。
【００３３】
有効フラグ：当該ファイルに対しての情報が確定しているか否かを示すフラグである。      
【００３４】
〔２〕アナログ放送の記録処理について説明
アナログチューナ３からの信号は、ＡＶ信号化処理部４によって、通常のアナログ再生装置と同様な手順で映像／音声信号化された後、入力スイッチャー５に送られる。図示していないが、アナログ入力端子からＡＶ信号が直接入力された場合には、映像／音声信号化の必要がないので、そのまま入力スイッチャー５に送られる。
【００３５】
入力スイッチャー５は、アナログチューナ３からＡＶ信号化処理部４を介して入力されたＡＶ信号（またはアナログ入力端子から入力されたＡＶ信号）と、後述するＮＴＳＣエンコーダ１２からの信号のうち、１つを選択してＭＰＥＧエンコーダ６に送る。
【００３６】
アナログチューナ３からＡＶ信号化処理部４を介して入力されたＡＶ信号（またはアナログ入力端子から入力されたＡＶ信号）の再生または録画を行う場合には、入力スイッチャー５はこれらのＡＶ信号を選択してＭＰＥＧエンコーダ６に送るように制御されている。
【００３７】
ＭＰＥＧエンコーダ６は、デジタル信号解析・制御部２による制御に基づいて、ＭＰＥＧエンコーダ６に入力された映像・音声信号から、ＡＶデコーダ９に与えられる画面表示用のＴＳ信号（デコード用ＴＳ信号）と、ＨＤＤ８に記録するためのＴＳ信号（記録用ＴＳ信号）との２系統のＴＳ信号を生成して出力する。デコード用ＴＳ信号は最高画質でのエンコード信号であり、記録用ＴＳ信号はユーザによって設定されている記録モードでのエンコード信号である。
【００３８】
この実施例では、アナログのＡＶ信号をデジタルＴＳ信号に変換した後、ＡＶデコーダ経由で画面表示されるようになっているが、アナログのＡＶ信号を画面表示する場合、入力スイッチャー５から出力されるアナログのＡＶ信号を、そのまま画面表示するようにしてもよい。
【００３９】
ＭＰＥＧエンコーダ６からデジタル信号解析・制御部２に入力される各ＴＳ信号（デコード用ＴＳ信号、記録用ＴＳ信号）には、デジタル放送の場合と異なり、サービスは１つしか含まれておらず、各ＴＳ信号中のＰＭＴには映像、音声がそれぞれ１つだけ記述されている。したがって、デジタル放送の場合のように、選択されたサービスに対応するＰＭＴをＰＡＴ中から選択する必要はない。また、記録用ＴＳ信号は、映像、音声のみの１サービスのみで構成されているＴＳ信号であり、ＰＴＳの生成を行う必要がない。このため、記録用ＴＳ信号を記録する場合には、この信号が変更されることなく、そのままＨＤＤコントローラ７を介してＨＤＤ８に保存される。
【００４０】
なお、ＭＰＥＧエンコーダ６によってエンコードされた記録用ＴＳ信号がＨＤＤ８に記録される場合には、デジタル放送の記録と同様に、図２に示した付帯情報がＨＤＤ８に記録される。付帯情報中の記録データ種別には、ＭＰＥＧエンコーダ６のエンコード条件に従った内容が設定される。
【００４１】
〔３〕記録済ファイルの再生処理についての説明
記録済ファイルを再生する場合には、ＣＰＵ１０は、ユーザからの指令に基づいて、ＨＤＤ８に記録されているファイルの一覧を表示し、再生を行うファイルをユーザに選択させる。ＣＰＵ１０は、選択されたファイルの付帯情報から、ＨＤＤコントローラ７を介してデジタル信号解析・制御部２に送出するストリーム（ＰＴＳ）と、そのストリームの読み出し位置とを決定し、ＨＤＤコントローラ７にＰＴＳの読み出しを開始させる。
【００４２】
デジタル信号解析・制御部２は、通常のデジタル放送のデコード処理と同様に、ＰＴＳ中のＰＡＴを取得し、その後ＰＭＴを取得し、ＰＭＴ中のＥＳを抽出するが、ＰＴＳ中のＰＡＴにはサービスの記述は１つのみ、すなわち、ストリーム中にＰＭＴは１つしか含まれていないので、ＰＭＴ取得が完了した後に、対応するＥＳをＡＶデコーダ９に送ればよい。なお、上述したように、ＰＴＳ内のＥＳはデスクランブル処理の必要のないノンスクランブルのＥＳである。
【００４３】
ＡＶデコーダ９は、デジタル信号解析・制御部２から送られたＥＳに対して、ＡＶデコード処理を行なう。これにより、映像／音声信号が得られる。ＡＶデコーダ９によって得られた映像信号は、ＯＳＤ１０からのオンスクリーン画像信号と合成された後、モニタ１１に送られて表示される。ＡＶデコーダ９によって得られた音声信号は、図示しないスピーカから出力される。
【００４４】
また、ＡＶデコーダ９によって得られた映像／音声信号は、ＮＴＳＣエンコーダ１２および出力スイッチャー１３を介して外部出力端子（録画用端子）１４に出力される。
【００４５】
なお、この実施例では、後述するビットレート自動変換処理を実現するために、ＡＶデコーダ９によって得られた映像／音声信号を、ＮＴＳＣエンコーダ１２および入力スイッチャー５を介してＭＰＥＧエンコーダ６に入力させて、記録ファイルの再圧縮処理を行えるようにしている。
【００４６】
〔４〕記録済ファイルのビットレート自動変換処理についての説明
この実施例では、受信機のスタンバイ時に、ＨＤＤ８に格納されている記録済ファイルのうち、ユーザによって設定された再圧縮対象のファイルに対するビットレート変換処理（ダウンサイズ化処理）が自動的に行われるようになっている。この実施例では、ＨＤＤ８に格納されている記録済ファイルのうち、再生処理が少なくとも一回行われているもののみ（再生済フラグによって再生済であることが示されているもののみ）が、再圧縮対象となる。
【００４７】
なお、再圧縮時のビットレートは、再圧縮の対象となるファイル毎に設定してもよいし、再圧縮時のビットレートを一律に長時間モード（アナログ低画質モード）に設定するようにしてもよい。再圧縮時のビットレートをファイル毎に設定する場合には、再圧縮の対象となるファイルを設定する際に、再圧縮時のビットレートも設定される。
【００４８】
図３は、受信機のスタンバイ時に行われるビットレート自動変換処理手順を示している。
【００４９】
受信機がスタンバイ状態になると（ステップＳ１）、現時点においてスタンバイ時の受信機処理を実行する必要があるか否かを判別する（ステップＳ２）。スタンバイ時の受信機処理とは、スタンバイ時において受信機が実行すべき動作をいい、予約番組の開始時間の監視処理、ＥＭＭ通電制御、ダウンロード処理、ＥＰＧデータ取得処理等がある。
【００５０】
現時点においてスタンバイ時の受信機処理を実行する必要があると判別した場合には、その処理を実行する（ステップＳ３）。そして、その処理が終了すると（ステップＳ４）、ステップＳ２に戻る。
【００５１】
ステップＳ２において、現時点においてスタンバイ時の受信機処理を実行する必要がないと判別された場合には、ＨＤＤ８内にファイルが存在しているか否かを判別する（ステップＳ５）。ＨＤＤ８内にファイルが存在していない場合には、ステップＳ２に戻る。
【００５２】
ステップＳ５において、ＨＤＤ８内にファイルが存在すると判別された場合には、再圧縮処理が途中で中断されたデータ（再圧縮処理の中途データ）が有るか否かを判別する（ステップＳ６）。なお、再圧縮処理が途中で中断される場合とは、後述するステップＳ１１で示すように、再圧縮処理中にリモコンの電源オン操作が行われた場合である。再圧縮処理の中途データが有るか否かは、再圧縮開始時に不揮発性メモリに保持される再圧縮中であることを示す情報（図４のステップＳ３２を参照）に基づいて判別される。
【００５３】
再圧縮処理の中途データが無い場合には、再圧縮対象として設定されたファイル（再圧縮設定されたファイル）が存在するか否かを判別する（ステップＳ７）。再圧縮設定されたファイルが存在しない場合には、ステップＳ２に戻る。
【００５４】
ステップＳ７において、再圧縮設定されたファイルが存在すると判別された場合には、これから再圧縮しようとするファイルに対する再圧縮処理が、次のスケジュール処理を開始するまでに終了するか否かを判別する（ステップＳ８）。スケジュール処理とは、スタンバイ状態から指定の日時に起床して行う必要がある処理をいい、予約番組（予約視聴番組および／または予約録画番組）を実行するための処理、ＥＭＭ通電制御処理、ダウンロード処理、ＥＰＧデータ取得処理等をいう。ステップＳ８において、これから再圧縮しようとするファイルに対する再圧縮処理が、次のスケジュール処理を開始するまでに終了しないと判別された場合には、ステップＳ２に戻る。
【００５５】
ステップＳ８において、これから再圧縮しようとするファイルに対する再圧縮処理が、次のスケジュール処理を開始するまでに終了すると判別された場合には、再圧縮処理を開始する（ステップＳ９）。再圧縮処理では、記録ファイルの再生処理と同様に、再圧縮対象のファイルがＨＤＤ８から読み出され、そのＥＳがＡＶデコーダ９によってＡＶデコードされる。ＡＶデコーダ９によって得られた映像・音声信号は、ＮＴＳＣエンコーダ１２および入力スイッチャー５を介してＭＰＥＧエンコーダ６に送られる。ＭＰＥＧエンコーダ６は、ユーザによって設定された再圧縮時のビットレートで、入力されたＡＶ信号を圧縮し、記録用ＴＳ信号を生成する。ＭＰＥＧエンコーダ６によって得られた記録用ＴＳ信号は、アナログ放送の記録処理と同様な方法で、デジタル信号解析・制御部２およびＨＤＤコントローラ７によって、ＨＤＤ８に記録される。
【００５６】
なお、あるファイルの再圧縮が終了したときに、そのファイルを消去してもよいが、この実施例では、再圧縮処理中に再圧縮対象のファイルを所定時間単位で消去させるようにしている。このような、再圧縮対象のファイルの消去処理および再圧縮後の新ファイルの生成処理の詳細については後述する。
【００５７】
再圧縮処理が開始されると、リモコンによる電源オン操作があったか否かを監視する（ステップＳ１０）。再圧縮処理が開始後、リモコンによる電源オン操作が行われることなく、再圧縮処理が終了した場合には（ステップＳ１０でＮＯ、ステップＳ１１でＹＥＳ）、ステップＳ７に戻る。
【００５８】
再圧縮処理が開始された後、再圧縮処理が終了するまでの間に、リモコンによる電源オン操作が行われた場合には（ステップＳ１０でＹＥＳ、ステップＳ１１でＮＯ）、再圧縮処理を中断する（ステップＳ１２）。そして、リモコンによる電源オフ操作が行われるまで待機する（ステップＳ１３）。リモコンによる電源オフ操作が行われると、スタンバイ状態に移行する（ステップＳ１）。
【００５９】
上記ステップＳ６において、再圧縮処理の中途データが有ると判別された場合には、当該中途データに対する再圧縮処理が、次のスケジュール処理を開始するまでに終了するか否かを判別する（ステップＳ１４）。当該中途データに対する再圧縮処理が、次のスケジュール処理を開始するまでに終了しない場合には、ステップＳ２に戻る。
【００６０】
上記ステップＳ１４において、中途データに対する再圧縮処理が次のスケジュール処理を開始するまでに終了すると判別された場合には、当該中途データに対する再圧縮処理を開始する（ステップＳ１５）。そして、再圧縮処理が終了するまで待機する（ステップＳ１６）。再圧縮処理が終了するとステップＳ６に戻る。
【００６１】
図４は、再圧縮処理でのファイル制御処理手順を示している。
【００６２】
ここでは、再圧縮されるファイルをファイルＡといい、再圧縮後に生成される新ファイルをファイルＡ’ということにする。
【００６３】
ファイルＡに対する再圧縮処理が開始されると、ファイルＡの読み出しに関する処理と、ファイルＡ’の書き込みに関する処理とが並行して行われる。
【００６４】
ファイルＡの読み出しに関する処理においては、まず、ファイルＡのデータのＨＤＤ８からの読み出しとデジタル信号解析・制御部２への転送が行われる（ステップＳ２１）。そして、所定時間（この例では１分間）、データを読み出したか否かを判別する（ステップＳ２２）。１分間、データを読み出していない場合には、ファイルＡの全てのデータの読み出しが完了しているか否かが判別される（ステップＳ２５）。ファイルＡの全てのデータの読み出しが完了していない場合には、ステップＳ２１に戻る。
【００６５】
上記ステップＳ２２において、１分間、データの読み出しが行われたと判別された場合には、その間に読み出されたデータを消去する（ステップＳ２３）。この後、ファイルＡの付帯情報の内容を変更する（ステップＳ２４）。例えば、記録時間、ストリームデータへのポインタ等を更新する。そして、ファイルＡの全てのデータの読み出しが完了しているか否かが判別される（ステップＳ２５）。ファイルＡの全てのデータの読み出しが完了していない場合には、ステップＳ２１に戻る。
【００６６】
一方、ファイルＡ’の書き込みに関する処理に関しては、不揮発性メモリにファイルＡが再圧縮中であることを示す情報が保持されているか否かを判別する（ステップＳ３１）。不揮発性メモリに再圧縮中であることを示す情報が保持されていない場合には、ファイルＡが再圧縮中であることを示す情報を不揮発性メモリに記憶させる（ステップＳ３２）。そして、ファイルＡ’のための付帯情報を仮生成する（ステップＳ３３）。つまり、ファイルＡ’のための付帯情報である記録日時、ファイル名、記録時間をファイルＡの付帯情報を複製することにより生成する。また、記録データ種別中の画質としては、ＭＰＥＧエンコード条件に応じた画質とする。ストリームデータへのポインタは、ファイルＡ’のデコードを開始するためのポインタとして用いられる。再生開始ポインタは、ファイルＡ’に対する書き込みポインタとして使用し、書き込み時随時に更新する。なお、有効フラグは未確定に設定する。
【００６７】
ファイルＡ’のための付帯情報が仮生成されると、ファイルＡ’のデータの書き込みを開始する（ステップＳ３４）。これ以後、ファイルＡ’の生成処理が行われる（ステップＳ３５）。
【００６８】
上記ステップＳ３１において、不揮発性メモリにファイルＡが再圧縮中であることを示す情報が既に保持されていると判別された場合には、つまり、ファイルＡの再圧縮が中断された後に、ファイルＡの再圧縮が再開された場合には、既にファイルＡ’のための付帯情報が仮生されているので、ファイルＡ’のデータの書き込みを開始する（ステップＳ３４）。これ以後、ファイルＡ’の生成処理が行われる（ステップＳ３５）。
【００６９】
上記ステップＳ２５において、全てのデータの読み出しが完了したと判別された場合には、ファイルＡで未だ消去されていないデータを消去する（ステップＳ２６）。次に、ファイルＡ’の付帯情報の確定処理を行う（ステップＳ２７）。この付帯情報の確定処理では、有効フラグが有効化され、再生済フラグを再圧縮完了でかつ再生完了を表す値に設定する。また、再生開始ポインタを、ファイルＡのデータの先頭位置に設定する。
【００７０】
次に、ファイルＡの付帯情報を削除する（ステップＳ２８）。そして、不揮発性メモリのファイルＡが再圧縮中であることを示す情報を削除する（ステップＳ２９）。これにより、ファイルＡに対する再圧縮処理が完了する。
【００７１】
上記実施例によれば、ＨＤＤに記録されたストリームデータを再圧縮（ダウンサイズ化）することができ、ＨＤＤの空き容量を増加させることができるようになる。
【００７２】
また、上記実施例によれば、ＨＤＤに記録されたストリームデータの再圧縮処理を、受信機のスタンバイ中に行えるので、ユーザによる受信放送番組の視聴や記録を妨げることもない。
【図面の簡単な説明】
【００７３】
【図１】ＨＤＤが内蔵されたデジタル放送対応受信装置の構成を示すブロック図である。
【図２】ＨＤＤ上のデータ構成を示す模式図である。
【図３】受信機のスタンバイ時に行われるビットレート自動変換処理手順を示すフローチャートである。
【図４】再圧縮処理でのファイル制御処理手順を示すフローチャートである。
【符号の説明】
【００７４】
１  デジタルチューナ
２  デジタル信号解析・制御部
３  アナログチューナ
４  ＡＶ信号化処理部
５  入力スイッチャー
６  ＭＰＥＧエンコーダ
７  ＨＤＤコントローラ
８  ＨＤＤ
９  ＡＶデコーダ
１２  ＮＴＳＣエンコーダ
【図１】
2006245715.tif 000003
【図２】
2006245715.tif 000004
【図３】
2006245715.tif 000005
【図４】
2006245715.tif 000006